【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
無線通信のための装置であって、
送信時間インタバル（ＴＴＩ）に関し、チャネライゼーション・コードからなる第１のコード・セットを、少なくとも１つの端末からなる第１の端末セットに割り当て、
前記第１の端末セットにおけるおのおのの端末のデータを、前記端末に割り当てられた少なくとも１つのチャネライゼーション・コードを用いて拡散し、
前記第１のコード・セットにおけるチャネライゼーション・コードに基づいて、時分割多重化（ＴＤＭ）パイロットを生成し、
前記ＴＤＭパイロットを、前記ＴＴＩ内の時間セグメントにマップし、
前記第１の端末セットについて拡散されたデータを、前記ＴＴＩの残りの部分にマップする
ように構成された少なくとも１つのプロセッサと、
前記少なくとも１つのプロセッサに結合されたメモリと
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項２】
前記少なくとも１つのプロセッサは、前記ＴＴＩ全体にわたって、少なくとも１つのチャネライゼーション・コードを、少なくとも１つの端末に割り当てるように構成される、請求項１に記載の装置。
【請求項３】
前記少なくとも１つのプロセッサは、
前記ＴＴＩにわたって、チャネライゼーション・コードからなる第２のコード・セットを、少なくとも１つの端末からなる第２の端末セットに割り当て、
前記第２の端末セットにおけるおのおのの端末のデータを、前記端末に割り当てられた少なくとも１つのチャネライゼーション・コードを用いて拡散し、
前記ＴＴＩ全体にわたって、前記第２の端末セットについて、拡散されたデータをマップする
請求項１に記載の装置。
【請求項４】
前記第１のコード・セットにおけるチャネライゼーション・コードと、前記第２のコード・セットにおけるチャネライゼーション・コードとは、同じ拡散係数を有する請求項３に記載の装置。
【請求項５】
前記第２のコード・セットにおけるチャネライゼーション・コードは、前記第１のコード・セットにおけるチャネライゼーション・コードよりも大きな拡散係数を有する請求項３に記載の装置。
【請求項６】
前記少なくとも１つのプロセッサは、
前記ＴＴＩにわたって、チャネライゼーション・コードからなる第２のコード・セットを、少なくとも１つの端末からなる第２の端末セットに割り当て、
前記第２の端末セットにおけるおのおのの端末のデータを、前記端末に割り当てられた少なくとも１つのチャネライゼーション・コードを用いて拡散し、
前記第２の端末セットについて拡散されたデータを、前記残りの部分にマップし、
さらに前記第２のコード・セットにおけるチャネライゼーション・コードに基づいて、前記ＴＤＭパイロットを生成し、
前記生成されたＴＤＭパイロットを、前記ＴＴＩにマップして送信するように構成され、
前記ＴＤＭパイロットは、前記第２の端末セットにおける少なくとも１つの端末によって処理されず、
前記第1の端末セットは、前記ＴＤＭパイロットをサポートする端末および前記ＴＤＭパイロットをサポートしない端末からなる、請求項１に記載の装置。
【請求項７】
前記第１のコード・セットにおけるチャネライゼーション・コードと、前記第２のコード・セットにおけるチャネライゼーション・コードとは、等しい拡散係数を有する請求項６に記載の装置。
【請求項８】
前記少なくとも１つのプロセッサは、
前記ＴＴＩにわたって、チャネライゼーション・コードからなる第３のコード・セットを、少なくとも１つの端末からなる第３の端末セットに割り当て、
前記第３の端末セットにおけるおのおのの端末のデータを、前記端末に割り当てられた少なくとも１つのチャネライゼーション・コードを用いて拡散し、
前記第３の端末セットについて拡散されたデータを、前記ＴＴＩ全体にわたってマップし、ここで、前記ＴＤＭパイロットは、前記第３の端末セットにおける少なくとも１つの端末によって処理されない請求項７に記載の装置。
【請求項９】
前記少なくとも１つのプロセッサは、
前記ＴＤＭパイロット、および、前記第１の端末セットについて拡散されたデータを、高速物理ダウンリンク共有チャネル（ＨＳ−ＰＤＳＣＨ）で送信し、
前記第１の端末セットにおけるおのおのの端末に向けられたシグナリングを、ＨＳ−ＰＤＳＣＨの共有制御チャネル（ＨＳ−ＳＣＣＨ）で送信する
請求項１に記載の装置。
【請求項１０】
無線通信のための方法であって、
送信時間インタバル（ＴＴＩ）にわたって、チャネライゼーション・コードからなる第１のコード・セットを、少なくとも１つの端末からなる第１の端末セットに割り当てることと、
前記第１の端末セットにおけるおのおのの端末のデータを、前記端末に割り当てられた少なくとも１つのチャネライゼーション・コードを用いて拡散することと、
前記第１のコード・セットにおけるチャネライゼーション・コードに基づいて、時分割多重化（ＴＤＭ）パイロットを生成することと、
前記ＴＤＭパイロットを、前記ＴＴＩ内の時間セグメントにマップすることと、
前記第１の端末セットについて拡散されたデータを、前記ＴＴＩの残りの部分にマップすることと
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、方法。
【請求項１１】
前記第１のコード・セットを前記第１の端末セットに割り当てることは、前記ＴＴＩ全体にわたって、少なくとも１つのチャネライゼーション・コードを少なくとも１つの端末に割り当てることを備える、請求項１０に記載の方法。
【請求項１２】
前記ＴＴＩにわたって、チャネライゼーション・コードからなる第２のコード・セットを、少なくとも１つの端末からなる第２の端末セットに割り当てることと、
前記第２の端末セットにおけるおのおのの端末のデータを、前記端末に割り当てられた少なくとも１つのチャネライゼーション・コードを用いて拡散することと、
前記ＴＴＩ全体にわたって、前記第２の端末セットについて、拡散されたデータをマップすることと
をさらに備える請求項１０に記載の方法。
【請求項１３】
前記ＴＴＩにわたって、チャネライゼーション・コードからなる第２のコード・セットを、少なくとも１つの端末からなる第２の端末セットに割り当てることと、
前記第２の端末セットにおけるおのおのの端末のデータを、前記端末に割り当てられた少なくとも１つのチャネライゼーション・コードを用いて拡散することと、
前記第２の端末セットについて拡散されたデータを、前記残りの部分にマップすることと、
さらに前記第２のコード・セットにおけるチャネライゼーション・コードに基づいて、前記ＴＤＭパイロットを生成することと、
前記生成されたＴＤＭパイロットを、前記ＴＴＩにマップして送信することと
をさらに備え、
前記ＴＤＭパイロットは、前記第２の端末セットにおける前記少なくとも１つの端末によって処理されず、
前記第１の端末セットは、前記ＴＤＭパイロットをサポートする端末および前記ＴＤＭパイロットをサポートしない端末からなる、請求項１０に記載の方法。
【請求項１４】
無線通信のための装置であって、
送信時間インタバル（ＴＴＩ）にわたって、チャネライゼーション・コードからなる第１のコード・セットを、少なくとも１つの端末からなる第１の端末セットに割り当てる手段と、
前記第１の端末セットにおけるおのおのの端末のデータを、前記端末に割り当てられた少なくとも１つのチャネライゼーション・コードを用いて拡散する手段と、
前記第１のコード・セットにおけるチャネライゼーション・コードに基づいて、時分割多重化（ＴＤＭ）パイロットを生成する手段と、
前記ＴＤＭパイロットを、前記ＴＴＩ内の時間セグメントにマップする手段と、
前記第１の端末セットについて拡散されたデータを、前記ＴＴＩの残りの部分にマップする手段と
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項１５】
前記第１のコード・セットを前記第１の端末セットに割り当てる手段は、前記ＴＴＩ全体にわたって、少なくとも１つのチャネライゼーション・コードを、少なくとも１つの端末に割り当てるように構成される、請求項１４に記載の装置。
【請求項１６】
前記ＴＴＩにわたって、チャネライゼーション・コードからなる第２のコード・セットを、少なくとも１つの端末からなる第２の端末セットに割り当てる手段と、
前記第２の端末セットにおけるおのおのの端末のデータを、前記端末に割り当てられた少なくとも１つのチャネライゼーション・コードを用いて拡散する手段と、
前記第２の端末セットについて拡散されたデータを、前記ＴＴＩ全体にわたってマップする手段と
をさらに備える請求項１４に記載の装置。
【請求項１７】
前記ＴＴＩにわたって、チャネライゼーション・コードからなる第２のコード・セットを、少なくとも１つの端末からなる第２の端末セットに割り当てる手段と、
前記第２の端末セットにおけるおのおのの端末のデータを、前記端末に割り当てられた少なくとも１つのチャネライゼーション・コードを用いて拡散する手段と、
前記第２の端末セットについて拡散されたデータを、前記残りの部分にマップする手段と、
さらに前記第２のコード・セットにおけるチャネライゼーション・コードに基づいて、前記ＴＤＭパイロットを生成する手段と、
前記生成されたＴＤＭパイロットを、前記ＴＴＩにマップして送信する手段と
をさらに備え、
前記ＴＤＭパイロットは、前記第２の端末セットにおける少なくとも１つの端末によって処理されず、
前記第１の端末セットは、前記ＴＤＭパイロットをサポートする端末および前記ＴＤＭパイロットをサポートしない端末からなる、請求項１４に記載の装置。
【請求項１８】
無線通信のための装置であって、
送信時間インタバル（ＴＴＩ）にわたって、少なくとも１つのチャネライゼーション・コードの端末に対する割り当てを受信し、
前記ＴＴＩ内の時間セグメントから、時分割多重化（ＴＤＭ）パイロットを受信し、
前記ＴＴＩの残りの部分から、データを受信し、
前記受信したデータを、前記端末に割り当てられた少なくとも１つのチャネライゼーション・コードを用いて逆拡散し、
前記ＴＤＭパイロットを、前記端末に割り当てられた少なくとも１つのチャネライゼーション・コードを含む前記第１のコード・セットに基づいて逆拡散する
ように構成された少なくとも１つのプロセッサと、
前記少なくとも１つのプロセッサに結合されたメモリと
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項１９】
前記少なくとも１つのプロセッサは、少なくとも１つの端末からなる第１の端末セットに対する、チャネライゼーション・コードからなる第１のコード・セットの前記割り当てを受信するように構成され、ここで、前記割り当ては、前記ＴＴＩ全体にわたる、少なくとも１つの端末に対する少なくとも１つのチャネライゼーション・コードの割り当てを含む、請求項１８に記載の装置。
【請求項２０】
前記少なくとも１つのプロセッサは、前記ＴＤＭパイロットに基づいてチャネル推定値を導出し、前記受信したデータを取得するために、前記チャネル推定値に基づいてデータ・チャネルを処理する請求項１８に記載の装置。
【請求項２１】
前記少なくとも１つのプロセッサは、
前のＴＴＩからＴＤＭパイロットを受信し、
前記前のＴＴＩからのＴＤＭパイロットに基づいてチャネル推定値を導出し、
前記端末に対する、前記少なくとも１つのチャネライゼーション・コードの割り当てを取得するために、前記チャネル推定値に基づいてシグナリング・チャネルを処理する
請求項１８に記載の装置。
【請求項２２】
前記第１のコード・セットにおけるチャネライゼーション・コードは、前記ＴＤＭパイロットを処理することが可能な端末に割り当てられている請求項１８に記載の装置。
【請求項２３】
前記第１のコード・セットにおける少なくとも１つのチャネライゼーション・コードは、前記ＴＤＭパイロットを処理することができない端末に割り当てられている請求項１８に記載の装置。
【請求項２４】
無線通信のための方法であって、
送信時間インタバル（ＴＴＩ）にわたって、少なくとも１つのチャネライゼーション・コードの端末に対する割り当てを受信することと、
前記ＴＴＩ内の時間セグメントから、時分割多重化（ＴＤＭ）パイロットを受信することと、
前記ＴＴＩの残りの部分から、データを受信することと、
前記受信したデータを、前記端末に割り当てられた少なくとも１つのチャネライゼーション・コードを用いて逆拡散することと
を備え、前記第１のコード・セットに基づく前記ＴＤＭパイロットは、前記端末に割り当てられた少なくとも１つのチャネライゼーション・コードを含み、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、方法。
【請求項２５】
少なくとも１つの端末からなる第１の端末セットに対する、チャネライゼーション・コードからなる第１のコード・セットの割り当ては、前記ＴＴＩ全体にわたる、少なくとも１つの端末に対する少なくとも１つのチャネライゼーション・コードの割り当てを含む、請求項２４に記載の方法。
【請求項２６】
前記ＴＤＭパイロットに基づいてチャネル推定値を導出することと、
前記受信したデータを取得するために、前記チャネル推定値に基づいてデータ・チャネルを処理することと
をさらに備える請求項２４に記載の方法。
【請求項２７】
前のＴＴＩからＴＤＭパイロットを受信することと、
前記前のＴＴＩからのＴＤＭパイロットに基づいてチャネル推定値を導出することと、
前記端末に対する、前記少なくとも１つのチャネライゼーション・コードの割り当てを取得するために、前記チャネル推定値に基づいてシグナリング・チャネルを処理することと
をさらに備える請求項２４に記載の方法。